(57)【要約】【課題】  水栓本体を覆い隠すカバーを備えた水栓において、水栓本体が壁面に対し左右に傾いた状態で固定されていても、カバーは水栓本体の壁面に対する固定状態に左右されることなく正常に取り付けられ、美観の向上を図る。【解決手段】  カバー水栓１は、壁面Ｂに固定される水栓本体１０と、この水栓本体１０を覆うようにして壁面Ｂに固定されるステー３０と、水栓本体１０を覆い隠すカバー４０とを備え、前記ステー３０は水栓本体１０とは独立して壁面Ｂに固定され、このステー３０にカバー４０が装着される。【選択図】  図２
2007291757.tif 000002
【特許請求の範囲】
【請求項１】
壁面に固定される水栓本体と、この水栓本体を覆うようにして壁面に固定されるステーと、水栓本体を覆い隠すカバーとを備え、前記ステーは水栓本体とは独立して壁面に固定され、このステーにカバーが装着されることを特徴とするカバー水栓。
【請求項２】
前記ステー又はカバーの何れか一方はその左右両端に爪が形成され、他方は爪と向かい合う位置に係合孔が形成され、カバーはステーに対し爪と係合孔との係合により装着されることを特徴とする請求項１記載のカバー水栓。
【請求項３】
前記カバーは水栓本体を覆う箱型で、その上面には棚が形成されたことを特徴とする請求項１又は請求項２記載のカバー水栓。
【発明の詳細な説明】
【技術分野】
【０００１】
本発明は、浴室等の壁面に固定される水栓において、水栓本体を覆い隠すカバーを備えたカバー水栓に関するものである。
【背景技術】
【０００２】
浴室等の壁面に固定される水栓において、その美観を向上させるため水栓本体全体を、塗装や装飾が施されたカバーにより覆い隠すようにしたものが公知である。また、水栓は浴室の壁面に固定されるため、このカバーの上面に棚を形成し、この棚にシャンプー、石鹸などの備品を載せるようにしたものが公知である。そして、カバーに形成された棚には重い備品が載せられる場合があり、棚に対し備品による大きな荷重が加わることがあっても、その荷重により破損することがないように、カバーは金属性のステーを介して水栓本体に装着する場合がある。このようなカバーにより水栓本体を覆い覆すようにした水栓として公知のものに、特許文献１がある。
【０００３】
この特許文献１について説明すると、水栓本体は設置部に主ステーと下方ステーとを介して固定されるものであり、主ステーは設置部に予め取着されて、水栓本体を設置部に取り付けるもので、水栓本体の背面側に配置され、水栓本体は主ステーに取り付けられるものである。設置部に取付ステーを介して設置された水栓本体を被覆する水栓用カバーは、前記取付ステーに取り付けられ、取付ステーと水栓本体との取付部分を隠蔽する隠蔽カバー体を備えているものである。  
【特許文献１】特開２０００−３３６７１４公報
【発明の開示】
【発明が解決しようとする課題】
【０００４】
前記特許文献１においては、カバーを固定するための取付ステーは、水栓本体に固定されており、この取付ステーにカバーが装着される。このように、カバーを取付ステーに装着する場合、取付ステーの設置部への固定位置が左右に傾いていると、カバーも取付ステーに追従して左右に傾いてしまう。そして、水栓本体が装着される設置面には、水配管及び湯配管を挿通させるために２つの貫通孔が互いの孔同士の間隔を設けて穿設されているが、互いの貫通孔の位置が上下にずれていると、水栓本体は左右に傾いた状態で設置面に固定されてしまう。そして、取付ステーは水栓本体に固定されるため、取付ステー及びこの取付ステーに取り付けられるカバーは、水栓本体に追従して傾いてしまうものであり、著しく美観を損なうものであった。
【０００５】
この発明は、このような従来の技術に存在する問題点に着目してなされたものであり、その目的は、水栓本体を覆い隠すカバーを備えた水栓において、水栓本体が壁面に対し左右に傾いた状態で固定されていても、カバーは水栓本体の壁面に対する固定状態に左右されることなく正常に装着され、美観の向上を図ることである。
【課題を解決するための手段】
【０００６】
上記課題を達成するため、請求項１記載の発明によるカバー水栓では、壁面に固定される水栓本体と、この水栓本体を覆うようにして壁面に固定されるステーと、水栓本体を覆い隠すカバーとを備え、前記ステーは水栓本体とは独立して壁面に固定され、このステーにカバーが装着されるものである。
【０００７】
請求項２に記載の発明によるカバー水栓では、請求項１記載の発明において、前記ステー又はカバーの何れか一方はその左右両端に爪が形成され、他方は爪と向かい合う位置に係合孔が形成され、カバーはステーに対し爪と係合孔との係合により装着されるものである。
【０００８】
請求項３に記載の発明によるカバー水栓では、請求項１又は請求項２記載の発明において、前記カバーは水栓本体を覆う箱型で、その上面には棚が形成されたものである。
【発明の効果】
【０００９】
請求項１に記載の発明では、ステーは水栓本体とは独立して壁面に固定されているので、水栓本体が壁面に対し左右に傾いた状態で固定されていても、カバーはこの水栓本体の傾きに影響されることなくステーに装着される。従って、水栓本体が横長で左右の傾きが大きくなる場合であっても、カバーは傾きがない状態で装着することができ、美観を損なうことがない。
【００１０】
請求項２に記載の発明では、ステーに対するカバーの装着は、工具を使用しなくても容易に行なうことができ、施工性が良い。
【００１１】
請求項３に記載の発明では、カバーは壁面に対し傾きのない状態で装着され、その上面に棚が形成されているので、この棚には石鹸、シャンプー、リンス、タオル、その他浴室で使用される備品を安定した状態で配置することができる。
【発明を実施するための最良の形態】
【００１２】
以下、本発明を具体化した実施形態を図に基づいて詳細に説明する。
図１に示すように、浴室Ａには壁面Ｂが垂直方向に立設されており、本発明のカバー水栓１は、この壁面Ｂに固定されるものである。また、図２に示すようにカバー水栓１は、水用エルボ１６、湯用エルボ１７にそれぞれ装着される固定ナット１８，１８を介して壁面Ｂに固定される水栓本体１０と、この水栓本体１０を前方から覆うようにして壁面Ｂに固定されるステー３０と、ステー３０に対して装着され水栓本体１０を覆い隠すカバー４０とを備えている。
【００１３】
図３及び図４に示すように、前記壁面Ｂの適宜の高さには一対の貫通孔Ｃ，Ｃが穿設されており、互いの貫通孔Ｃ，Ｃは左右に平行で、貫通孔Ｃ，Ｃ同士は適宜の間隔が設けられている。
【００１４】
前記水栓本体１０は横長の略箱型で、その内部には収容空間１１が形成され、収容空間１１には湯水の温度を調節するための温度調節手段としての温度調節ユニット１２と、温度調節ユニット１２で温度調節された湯水の吐水，止水，及び流量調節を行なう流量調節手段としての流量調節ユニット１３とが収容されている。水栓本体１０の背面側には水導入口１４と湯導入口１５とが形成され、互いの導入口１４，１５の間隔は前記壁面Ｂの互いの貫通孔Ｃ，Ｃの間隔と略同一である。各導入口１４，１５には温度調節ユニット１２へ水，湯を供給するための水用エルボ１６と湯用エルボ１７とがそれぞれ接続されている。各エルボ１６，１７は固定ナット１８，１８により壁面Ｂに固定されており、水用エルボ１６は壁面Ｂの裏側で給水管（図示省略）に接続され、湯用エルボ１６は壁面Ｂの裏側で給湯管Ｄに接続され、水導入口１４，湯導入口１５から導入される水と湯とは、収容空間１１に収容されている温度調節ユニット１２と流量調節ユニット１３へ供給されて混合され、適温及び適度の流量に調節される。
【００１５】
図４に示すように、水栓本体１０の底面には温度調節ユニット１２及び流量調節ユニット１３で調節された湯水を外部へ供給するための２つの出口１９，１９ａが下部に向けて形成され、一方の第１出口１９には横長に形成された吐水管２０が回転自在に接続されており、他方の第２出口１９ａにはホース２１が接続されるものであり、ホース２１の先端にはシャワーヘッド２１ａが装着されており、湯水は吐水管２０又はシャワーヘッド２１ａの何れか一方から外部へ吐水される。
【００１６】
前記ステー３０は金属材料からなる薄板状であり、合成樹脂材料からなるカバー４０を壁面Ｂに固定するためのものである。図５及び図６に示すように、ステー３０は横長長方形の正面部３１と、正面部３１の左右両端から壁面Ｂに向けて直角方向に屈曲した各側部３２，３２と、各側部３２，３２から直角方向に屈曲し、壁面Ｂと向かい合う各固定部３３，３３とを備えている。ステー３０の正面部３１で左右両側には第１丸孔３１ａと第２丸孔３１ｂとが適宜の間隔を設けて穿設され、第１丸孔３１ａには温度調節ユニット１２の前部を覆うようにして水栓本体１０に形成された第１円筒部２２が挿通し、第２丸孔３１ｂには流量調節ユニット１３の前部を覆うように水栓本体１０に形成された第２円筒部２３が挿通する。ステー３０の左右の全長は水栓本体１０の左右の全長より長く形成され、その両端に前記固定部３３，３３をそれぞれ備えており、この固定部３３，３３は壁面Ｂに対し向かい合う。各固定部３３，３３にはビス３５が挿通するビス孔３４が穿設され、各固定部３３，３３を壁面Ｂに向かい合わせて密着させた状態で、壁面Ｂの表側からビス３５をビス孔３４に挿通して壁面Ｂに締結することで、ステー３０は水栓本体１０の正面及び左右の両側面を覆い隠すようにして壁面Ｂに固定される。
【００１７】
前記カバー４０は合成樹脂材料からなり、その全体に塗装又は装飾が施されている。このカバー４０は壁面Ｄの前面側からステー３０に対してのみ装着されるものであり、その形状は図２、図７及び図８に示すように、金属材料からなる水栓本体１０及びステー３０を覆い隠すように背面側を開口した横長の箱型に形成されている。カバー４０の正面側にはステー３０の第１丸孔３１ａ，第２丸孔３１ｂと連通する第３丸孔４１ａ，第４丸孔４１ｂがそれぞれ穿設され、各丸孔４１ａ  ，４１ｂを水栓本体１０の第１円筒部２２，第２円筒部２３がそれぞれ挿通し、温度調節ユニット１２に装着される温調用ハンドル３６及び流量調節ユニット１３に装着される流調用ハンドル３７は、カバー４０がステー３０に装着された後に、温度調節ユニット１２、流量調節ユニット１３にそれぞれ装着されるようにしている。カバー４０の上面は左右横長に平坦状である棚４２が形成されており、この棚４２には石鹸、シャンプー、リンス、タオル、その他浴室で使用される備品を配置することができる。
【００１８】
図８に示すように、ステー３０の左右両端には爪３８，３８が形成されている。また、カバー４０には爪３８，３８と向かい合う位置に係合孔４３，４３が形成されている。従って壁面Ｄに固定されているステー３０に対し、ステー３０を覆うようにしてカバー４０を壁面Ｄに向けて移動させれば、ステー３０の爪３８とカバー４０の係合孔４３とが左右でそれぞれ係合し、カバー４０をステー３０に対して装着することができる。このように、カバー４０のステー３０に対する装着は工具を使用しなくてもワンタッチで行なうことができる。なお、本実施形態とは逆に、ステーに係合孔を形成し、カバーに爪を形成してもよい。また、カバーのステーに対する装着方法は本実施形態に限定されるものではなく、例えばビスによる装着であってもよいが、この場合、ビスが外部に露出することとなり、美観を損なう。
【００１９】
本発明のカバー水栓は、ステーが水栓本体とは独立して壁面に固定され、このステーに対しカバーを装着することで、水栓本体をカバーにより覆い隠すものであり、例えば水栓本体が壁面に対し左右に傾いた状態で固定されていても、カバーはこの水栓本体の傾きに影響されることなくステーに装着される。従って、水栓本体が横長で左右の傾きが大きくなる場合であっても、カバーは傾きがない状態で装着することができ、美観を損なうことがない。
【００２０】
また、ステーが左右に傾いた状態で壁面に固定された場合は、カバーもステーに追従して傾いた状態で装着されるが、カバーを平行に装着するには、水栓本体はそのままの状態でステーの壁面に対する固定位置を調整し、再度壁面に固定すればよく、施工性が優れている。
【００２１】
しかも、ステー及びカバーには重量の重い水栓本体の荷重が加わることがなく、合成樹脂製のカバーの破損を防止することができる。
【００２２】
さらに、カバーは壁面に対し傾きのない状態で装着され、その上面には棚が形成されているので、この棚には石鹸、シャンプー、リンス、タオル、その他浴室で使用される備品を安定した状態で配置することができる。
【図面の簡単な説明】
【００２３】
【図１】この発明のカバー水栓が浴室の壁面に固定された状態の説明図である。
【図２】カバー水栓を壁面に固定した状態の側断面図である。
【図３】浴室の壁面に水栓本体が固定された状態の断面図である。
【図４】図３の要部縦断面図である。
【図５】ステーを壁面に固定した状態の平面図である。
【図６】ステーを壁面に固定した状態の正面図である。
【図７】カバーをステーに装着した状態の平面図である。
【図８】カバーをステーに装着する場合の説明図である。
【符号の説明】
【００２４】
１    ：  カバー水栓
１０  ：  水栓本体
３０  ：  ステー
３８  ：  爪
４０  ：  カバー
４２  ：  棚
４３  ：  係合孔
Ｂ    ：  壁面  
【図１】
2007291757.tif 000003
【図２】
2007291757.tif 000004
【図３】
2007291757.tif 000005
【図４】
2007291757.tif 000006
【図５】
2007291757.tif 000007
【図６】
2007291757.tif 000008
【図７】
2007291757.tif 000009
【図８】
2007291757.tif 000010